(57)【要約】      （修正有）【課題】分解・組立が可能になり、ケーブルの収容空間を自在に調整可能であり、放熱効果が向上し、ケーブルの保全作業が容易になり、生産コストを低減可能であり、組立構造が更に強固になるトレー及びケーブルダクトを提供する。【解決手段】ケーブルダクトと上下に対応するサイド板と、ケーブルダクトとサイド板を連接する自在板とを含み、ケーブルダクトの両側に立設のガードレールが設けてあり、ガードレールとサイド板とには螺着部がそれぞれ設けてあり、自在板が立て姿勢でガードレールとサイド板との螺着部の内側に螺着されることを特徴とする拡張可能のトレー及びケーブルダクト。【選択図】図３
0003137711.tif 000002
【実用新案登録請求の範囲】
【請求項１】
ケーブルダクト（１０）と、前記ケーブルダクト（１０）と上下に対応するサイド板（１２）と、前記ケーブルダクト（１０）と前記サイド板（１２）を連接する自在板（２０）と、を含み、前記ケーブルダクト（１０）の両側に立設のガードレール（１１）が設けてあり、前記ガードレール（１１）と前記サイド板（１２）とには螺着部がそれぞれ設けてあり、前記自在板（２０）が立て姿勢で前記ガードレール（１１）と前記サイド板（１２）との螺着部の内側に螺着されることを特徴とする、
拡張可能のトレー及びケーブルダクト。
【請求項２】
前記ケーブルダクト（１０）の代わりにトレー（３０）を使用し、前記サイド板（１２）の代わりにＴ字形サイド板（３２）を使用し、なお、前記ケーブルダクト（１０）のガードレール（１１）と前記サイド板（１２）（３２）との螺着部の代わりにファスナーを使用してもいいことを特徴とする、請求項１に記載の拡張可能のトレー及びケーブルダクト。
【請求項３】
前記自在板（２０）は、立て姿勢で前記ガードレール（１１）（３１）と前記サイド板（１２）（３２）との螺着部の内側に螺着され、一側面に粗面（２１）が設けてあり、前記粗面（２１）は、凸皺でもいいし、傾斜皺でもいいし、凸粒でもいいし、エンボス加工でもよく、なお、前記自在板（２０）の長手方向の両側縁に近接する箇所では長手方向に沿った長形ねじ穴（２２ａ）が開設してあり、前記長形ねじ穴（２２ａ）は、二段式でもいいし、多段式でもいいことを特徴とする、請求項１に記載の拡張可能のトレー及びケーブルダクト。
【考案の詳細な説明】
【技術分野】
【０００１】
本考案は、拡張可能のトレー及びケーブルダクトに関するものである。
【背景技術】
【０００２】
昨今、工場でのケーブル配線は、溶接にて鉄板によりトレーを作製することにより、ケーブルの配置及び保全が便利になるが、溶接によって作製されたトレーは固定されてしまうので、フレキシブルに変更することができず、ケーブルの配置スペースを更に大きくに変更することができず、ユーザにとって極めて不便であり、特に、トレーは溶接ビードによって外観が損なわれるため、上記のトレーがＵ字形のケーブルトレーにどんどん取り替えられている。
【考案の開示】
【考案が解決しようとする課題】
【０００３】
しかしながら、Ｕ字形のケーブルトレーを使用すれば、次のような欠点があった。
【０００４】
（イ）Ｕ字形のケーブルトレーが固定される形態であるので、トレーの内部空間が不足である場合には、その側に別のトレーを設置することが必要であり、コストが増加する。
【０００５】
（ロ）従来のＵ字形のケーブルトレーの部品はＵ字形を呈するので、運輸及び包装にはスペースをかなりとられ、極めて不便である。
【０００６】
（ハ）従来のＵ字形のケーブルトレー同士は、溶接にて結合して保護フィルムを被覆することが必要であるので、作業工数が増加し、ひいてはコストが高くなる。
【０００７】
（二）従来のＵ字形のケーブルトレーは、ケーブルの配置空間が一定であるので、フレキシブルに変更できず、また、ケーブルの配置空間を変更しようとする場合には、作業コストが増加する。
【０００８】
本考案の主な目的は、分解・組立が可能になり、ケーブルの収容空間を自在に調整可能であり、放熱効果が向上し、ケーブルの保全作業が容易になり、生産コストを低減可能であって、組立構造が更に強固になる拡張可能のトレー及びケーブルダクトを提供することにある。
【課題を解決するための手段】
【０００９】
上記目的を達成するためになされた本願の考案は、ケーブルダクトと、前記ケーブルダクトと上下に対応するサイド板と、前記ケーブルダクトと前記サイド板を連接する自在板と、を含み、前記ケーブルダクトの両側に立設のガードレールが設けてあり、前記ガードレールと前記サイド板とには螺着部がそれぞれ設けてあり、前記自在板が立て姿勢で前記ガードレールと前記サイド板との螺着部の内側に螺着されることを特徴とする拡張可能のトレー及びケーブルダクトであることを要旨としている。
【００１０】
本願の考案では、前記ケーブルダクトの代わりにトレーを使用し、前記サイド板の代わりにＴ字形サイド板を使用し、なお、前記ケーブルダクトのガードレールと前記サイド板との螺着部の代わりにファスナーを使用してもいいことを特徴とする請求項１に記載の拡張可能のトレー及びケーブルダクトであることを要旨としている。
【００１１】
本願の考案では、前記自在板は、立て姿勢で前記ガードレールと前記サイド板との螺着部の内側に螺着され、一側面に粗面が設けてあり、前記粗面は、凸皺でもいいし、傾斜皺でもいいし、凸粒でもいいし、エンボス加工でもよく、なお、前記自在板の長手方向の両側縁に近接する箇所では長手方向に沿った長形ねじ穴が開設してあり、前記長形ねじ穴は、二段式でもいいし、多段式でもいいことを特徴とする請求項１に記載の拡張可能のトレー及びケーブルダクトであることを要旨としている。
【考案の効果】
【００１２】
本考案の拡張可能のトレー及びケーブルダクトによれば、次のような効果がある。
【００１３】
（イ）本考案は、ケーブルダクトの両側のガイドレールと、上下に対応するサイド板とには、自在板と結合可能の螺着部またはファスナーがそれぞれ設けてあり、自在板の長手方向の両側縁に近接する箇所では長手方向に沿った長形ねじ穴が開設してあり、前記長形ねじ穴により、ケーブルダクトの両側のガイドレールと、上下に対応するサイド板との内側に自在板を螺着可能であるので、受けるケーブルの数量に応じてトレーの収容空間をフレキシブルに変更可能であるため、拡張性が向上し、組立構造が更に強固になる。
【００１４】
（ロ）現場で配線しようとするケーブルの数量を見て、自在板に設けられた螺着部またはファスナーと、トレー又はケーブルダクトの両側のガイドレールに設けられた長形ねじ穴とを自在に組付可能であり、だから、受け空間と放熱空間とを適時に調整可能である。
【００１５】
（ハ）放熱効果が従来のものより更に向上する。
【００１６】
（二）必要に応じてサイド板に複数のソケットを設けることができ、そうすると、電気製品、電力や電話などを容易に使用可能である。
【００１７】
（ホ）自在板とサイド板とは脱着自在であるので、トレーまたはケーブルダクトの内部に設けられたケーブルの保全作業が容易になる。
【考案を実施するための最良の形態】
【００１８】
以下、添付図面を参照して本考案の好適な実施の形態を詳細に説明する。
【００１９】
まず、図１乃至図５を参照する。本考案の拡張可能のトレー及びケーブルダクトは、ケーブルダクトと、前記ケーブルダクトと上下に対応するサイド板と、前記ケーブルダクトと前記サイド板を連接する自在板と、を含む。
【００２０】
前記ケーブルダクト１０とトレー３０との両側にあるガイドレール１１，３１と、サイド板１２，３２とには、自在板２０と結合するための螺着部（又は対になるファスナー）がそれぞれ設けてあり、前記螺着部は、図２乃至図５に示すように、調整穴１１１，１２１，３１１，３２１であってもいい。
【００２１】
前記自在板２０の一側面に粗面２１が設けてあり、組付けるときに、前記粗面２１が前記ケーブルダクト１０の両側にあるガイドレール１１とサイド板１２とに当接され、三者の間の摩擦力により、これらはガタガタすることがない。
【００２２】
また、前記粗面２１は、図１に示すような凸皺でもいいし、傾斜皺でもいいし、凸粒でもいいし、エンボス加工でもいい。
【００２３】
また、自在板２０は、トレー３０と、ケーブルダクト１０と、サイド板３２，１２との内側と螺着し、図１に示すように、そのコーナーでは固定子２２を設けてもよく、前記固定子２２は、図２及び図３に示すように、ケーブルダクト１０の両側にあるガイドレール１１とサイド板１２とに開設された調整穴１１１，１２１と組付け、または、図４及び図５に示すように、トレー３０の両側にあるガイドレール３１とサイド板３２とに開設された調整穴３１１，３２１と組付けると、ケーブルの受け空間を自在に拡張可能になる。
【００２４】
もちろん、前記自在板２０は、立て姿勢で、前記ケーブルダクト１０のガードレール１１とサイド板１２との螺着部の外側に、又は前記トレー３０のガードレール３１とサイド板３２との螺着部の外側に螺着することもできる。
【００２５】
また、前記調整穴１１１，１２１，３１１，３２１は、長孔でもいいし、連続に開設された円形穴でもいいし、連続に開設された矩形穴でもいいし、上記以外の何れかの形状にしてもいい。
【００２６】
次に、図２乃至図５を参照しながら本考案の使用方法を説明する。本考案は、主に、自在板２０を、ケーブルダクト１０の両側にあるガイドレール１１とサイド板１２とに、又はトレー３０の両側にあるガイドレール３１とサイド板３２とに結合し、また、ケーブルダクト１０の両側にあるガイドレール１１とサイド板１２とに開設された調整穴１１１，１２１に、又はトレー３０の両側にあるガイドレール３１とサイド板３２とに開設された調整穴３１１，３２１に、自在板２０の各コーナーに設けられた固定子２２を締め付けることにより、自在板２０をケーブルダクト１０、トレー３０のサイド板１２，３２の内側に固定すると、ケーブルダクト１０またはトレー３０の内部の受け空間１３，３３と、サイド板１２，３２の間の収容空間１４，３４を自在に変更可能であり、また、必要に応じてケーブルダクト１０またはトレー３０の両側にあるサイド板１２，３２に複数のソケットを設けることができ、そうすると、電気製品、電力や電話などを便利に使用可能であり、また、前記サイド板１２，３２の上にカバーを設けてもいい。
【００２７】
また、図６に示したのは本考案の自在板２０の第二実施例であって、前記自在板２０の長手方向の両側縁に近接する箇所では長手方向に沿った長形ねじ穴２２ａが開設してあり、前記長形ねじ穴２２ａは、二段式でもいいし、多段式でもいいし、図７に示すように、連続に開設された円形穴でもいいし、連続に開設された矩形穴でもいいし、上記以外の何れかの形状の穴にしてもいい。
【００２８】
上記のような構造によれば、ケーブルダクト１０又はトレー３０は、現場の作業およびケーブルの数量に応じて、自在板２０の締付位置を上下に移動し、または、ケーブルダクト１０又はトレー３０の内側や外側に自在板２０を締め付けることにより、ケーブルダクト１０又はトレー３０の内部の受け空間１３，３３と、サイド板１２，３２の間の収容空間１４，３４との大きさを適時に調整可能であり、そうすると、拡張性が向上し、組立構造が更に強固になる。
【図面の簡単な説明】
【００２９】
【図１】本考案の自在板の斜視図である。
【図２】本考案の自在板をケーブルダクトに組付けている状態の斜視図である。
【図３】本考案の自在板がケーブルダクトに組付けられた状態の斜視図である。
【図４】本考案の自在板とケーブルダクトの組付状態を示す側面図である。
【図５】図４の正面図である。
【図６】本考案の自在板の第二実施例の斜視図である。
【図７】本考案の自在板の第三実施例の斜視図である。
【符号の説明】
【００３０】
１０      ケーブルダクト
１１      ガードレール
１２      サイド板
１３，３３    受け空間
１４，３４    収容空間
２０      自在板
２０ａ    自在板
２１      粗面
２２ａ    長形ねじ穴
２２ｂ    二段式ねじ穴
３０      トレー
３１      ガードレール
３２      Ｔ字形サイド板
１１１，１２１，３１１，３２１    調整穴
【図１】
0003137711.tif 000003
【図２】
0003137711.tif 000004
【図３】
0003137711.tif 000005
【図４】
0003137711.tif 000006
【図５】
0003137711.tif 000007
【図６】
0003137711.tif 000008
【図７】
0003137711.tif 000009